(57)【要約】【課題】専用の視標呈示装置を準備することなく、現在市販されている汎用のＲ／Ｇ検査視標を使用して、グリーン視標とレッド視標とを同時に呈示する前にグリーン視標のみを呈示する方式のＲ／Ｇ検査を行うことができる検眼装置を提供する。【解決手段】検眼窓を有する左右一対のレンズ室ユニット内に、開口を含む多数の光学素子が配置された複数の回転ディスクをそれぞれ持ち、回転ディスクの回転により所望の光学素子を検査窓に切換え配置し、被検眼の屈折力を自覚的に検査する検眼装置において、左右一対のレンズ室ユニットに配置される前記回転ディスクにはグリーンフィルタをそれぞれ配置し、レッドグリーン視標を使用した検査時に検査窓に前記グリーンフィルタと開口とを切換え配置して検査する構成とした。【選択図】　　　図２
2004057741.tif 000002
【特許請求の範囲】
【請求項１】
検眼窓を有する左右一対のレンズ室ユニット内に、開口を含む多数の光学素子が配置された複数の回転ディスクをそれぞれ持ち、該回転ディスクの回転により所望の光学素子を検査窓に切換え配置し、被検眼の屈折力を自覚的に検査する検眼装置において、左右一対のレンズ室ユニットに配置される前記回転ディスクにはグリーンフィルタをそれぞれ配置し、レッドグリーン視標を使用した検査時に検査窓に前記グリーンフィルタと開口とを切換え配置して検査する構成としたことを特徴とする検眼装置。
【請求項２】
請求項１の検眼装置は、レッドグリーン検査を開始する指示手段と、該指示手段の信号に基づいて検査窓に前記グリーンフィルタを所定時間配置した後、前記開口を切換え配置するように前記回転ディスクを駆動制御する制御手段と、を備えることを特徴とする検眼装置。
【請求項３】
請求項１の検眼装置において、前記グリーンフィルタが配置された回転ディスクには前記検査窓を遮蔽する遮蔽板がグリーンフィルタの隣に位置するように設けられていることを特徴とする検眼装置。
【請求項４】
請求項３の検眼装置において、レッドグリーン検査を開始する指示手段と、該指示手段の信号に基づいて前記検査窓に前記グリーンフィルタと遮蔽板とを交互に所定時間の間切換え配置した後、前記開口に切換え配置するように前記回転ディスクを駆動制御する制御手段と、を備えることを特徴とする検眼装置。
【請求項５】
請求項２又は４の何れかの検眼装置は、前記制御手段の制御による前記グリーンフィルタを使用したレッドグリーン検査を実施するか、前記グリーンフィルタを使用せずに前記開口を検査窓に配置したレッドグリーン検査を実施するか、を選択する選択手段を備えることを特徴とする検眼装置。
【発明の詳細な説明】
【０００１】
【発明の属する技術分野】
本発明は、被検眼の屈折力を自覚的に検査する検眼装置に関する。
【０００２】
【従来技術】
眼鏡レンズやコンタクトレンズを処方する場合の自覚検査の一つとして、隣接する赤色と緑色の背景に、それぞれ同一の黒図形や黒文字の視標が描かれたレッドグリーン視標を使用したレッドグリーン検査（Ｒ／Ｇ検査）がある。このＲ／Ｇ検査は、最終的な過矯正のチェックや、クロスシリンダーによる乱視検査の前段階に行われており、赤色側の視標と緑色側の視標とを同時に呈示し、その見え具合を応答させるものである。
【０００３】
ところで、このＲ／Ｇ検査は、調節力がほどんどない眼については有効とされているが、一般に調節力のある遠視眼等では、検査中に無意識に眼の調節を行ってしまい、正確な検査が行い難いとされている。そこで、特開平１０−１７９５７１８号には、緑色側の視標（グリーン視標）を一定時間見せた後、又はグリーン視標を一定時間点滅させて見せた後、グリーン視標とレッド視標とを同時に見せ、両視標を比較させる方法が提案されている。この方法は被検者が無意識に行う水晶体の調節を可及的に抑制した状態にすることにより、Ｒ／Ｇ検査を有効に用いることができるとされている。
【０００４】
【発明が解決しようとする課題】
しかしながら、特開平１０−１７９５７１８号に開示される検査方法は、グリーン視標を一定時間被検者に見せた後に、グリーン視標とレッド視標とを同時に見せるという特殊な方法を用いるため、現在市販されている汎用の視力呈示装置では対応できないという問題がある。
【０００５】
本発明は、上記従来技術の問題点に鑑み、専用の視標呈示装置を準備することなく、現在市販されている汎用のＲ／Ｇ検査視標を使用して、グリーン視標とレッド視標とを同時に呈示する前にグリーン視標のみを呈示する方式のＲ／Ｇ検査を行うことができる検眼装置を提供することを技術課題とする。
【０００６】
【課題を解決するための手段】
上記課題を解決するために、本発明は以下のような構成を備えることを特徴とする。
（１）　検眼窓を有する左右一対のレンズ室ユニット内に、開口を含む多数の光学素子が配置された複数の回転ディスクをそれぞれ持ち、該回転ディスクの回転により所望の光学素子を検査窓に切換え配置し、被検眼の屈折力を自覚的に検査する検眼装置において、左右一対のレンズ室ユニットに配置される前記回転ディスクにはグリーンフィルタをそれぞれ配置し、レッドグリーン視標を使用した検査時に検査窓に前記グリーンフィルタと開口とを切換え配置して検査する構成としたことを特徴とする。
（２）　（１）の検眼装置は、レッドグリーン検査を開始する指示手段と、該指示手段の信号に基づいて検査窓に前記グリーンフィルタを所定時間配置した後、前記開口を切換え配置するように前記回転ディスクを駆動制御する制御手段と、を備えることを特徴とする。
（３）　（１）の検眼装置において、前記グリーンフィルタが配置された回転ディスクには前記検査窓を遮蔽する遮蔽板がグリーンフィルタの隣に位置するように設けられていることを特徴とする。
（４）　（３）の検眼装置において、レッドグリーン検査を開始する指示手段と、該指示手段の信号に基づいて前記検査窓に前記グリーンフィルタと遮蔽板とを交互に所定時間の間切換え配置した後、前記開口に切換え配置するように前記回転ディスクを駆動制御する制御手段と、を備えることを特徴とする。
（５）　（２）又は（４）の何れかの検眼装置は、前記制御手段の制御による前記グリーンフィルタを使用したレッドグリーン検査を実施するか、前記グリーンフィルタを使用せずに前記開口を検査窓に配置したレッドグリーン検査を実施するか、を選択する選択手段を備えることを特徴とする。
【０００７】
【発明の実施の形態】
以下、本発明の実施の形態を図面に基づいて説明する。図１は実施例である検眼装置の外観略図、図２は制御系を含む要部構成図を示す。
１は測定眼の屈折力検査を自覚的に行う検眼装置本体であり、左右一対のレンズユニット１０を備える。各レンズユニット１０内には、種々の多数の光学素子を同一円周上に配置したレンズディスクが回転可能に設けられている。レンズディスクとしては弱球面レンズディスク１２、強球面レンズディスク１３、乱視レンズディスク１４、クロスシリンダを持つレンズディスク１５、グリーンフィルタ１６ａや遮蔽板１６ｂ等を持つ補助レンズディスク１６が用意されている。また、各ディスクにはレンズ等の光学素子が何も入っていない開口部（補助レンズディスク１６では１６ｃが開口部となる）も有している。グリーンフィルタ１６ａ、遮蔽板１６ｂ及び開口部１６ｃは、後述するＲ／Ｇ検査に使用するため、補助レンズディスク１６上に互いに隣接して配置されていることが望ましい。具体的には図２に示すように、遮蔽板１６ｂと開口部１６ｃとがグリーンフィルタ１６ａに隣合うように配置しておく。また、各ディスクはそれぞれモータ１２Ｍ〜１６Ｍにより回転駆動され、検査窓１１に所期する矯正光学系を切換え配置する。
【０００８】
また、本実施の形態では補助レンズディスク１６上にグリーンフィルタ１６ａ、遮蔽板１６ｂ、開口部１６ｃを設けるものとしているが、これに限るものではなく、グリーンフィルタが設けられたディスクとは別のディスクに遮蔽板や開口部を設けるようにしても良い。この場合、Ｒ／Ｇ検査時に使用しないディスク（矯正レンズ等が設けられていないディスク）を用いれば良い。
【０００９】
２は検査視標を呈示する視標呈示装置であり、ランプ２０を点灯して視標ディスク２１、マスクディスク２２を回転駆動することにより、所望の検査視標を被検眼前方に置かれた図示なきスクリーンに投影する。本実施形態では投影式の視標呈示装置を用いているが、これに限るものではなく、Ｒ／Ｇ検査用の視標を有している省スペース型（凹面鏡や多数の反射ミラーを使用したタイプ）や据え置き型（視標を背後から照明するタイプ）等、従来使用されている視標呈示装置を使用することができる。
【００１０】
３は検眼装置本体１及び視標呈示装置２を操作するためのコントローラであり、後述する各種スイッチ群が配置されている。コントローラ３からのスイッチ信号はリレーユニット４を介して検眼装置本体１及び視標呈示装置２に送信され、マイクロコンピュータ部１７及び２３は送信された信号に基づいて各ディスクの動作を制御する。
【００１１】
５は測定用視標を被検眼眼底に投影し眼底の投影視標像を受光手段で検出することによって眼屈折力を測定する他覚式眼屈折力測定装置であり、６は眼鏡レンズの光学特性を測定するレンズメータである。眼屈折力測定装置５及びレンズメータ６からの他覚値及び眼鏡値データは、リレーユニット４を介してコントローラ３のメモリ７に記憶される。
【００１２】
図３はコントローラ３を上方から見た図である。３１は検眼情報を表示する液晶のディスプレイである。３２はスイッチ部であり、視標スイッチ群３４、マスクスイッチ群３５、プログラム検眼用のスタートスイッチ３６及び送りスイッチ３７、測定データ（Ｓ，Ｃ，Ａ等）を変更するモードを指定するスイッチ群３８、入力データ指定スイッチ群３９、測定眼指定スイッチ４２、測定値の変更や数値入力のときに使用するダイヤルスイッチ４３、クロスシリンダを切換えるスイッチ４４ａ，４４ｂ、等を備える。
【００１３】
以上のような構成の装置において、その動作を説明する。ここでは、Ｒ／Ｇ検査を中心に説明する。
自覚検査を行うに当たっては、通常、眼屈折力測定装置５による他覚値データ、レンズメータ６により測定した前眼鏡の度数データを使用する。検査窓１１に初期設定する屈折力光学系の光学素子を、これらのデータを参考にして配置すると、自覚検査を効率良く行うことができる。
【００１４】
測定眼指定スイッチ４２により測定眼を指定すると、一方の検査窓１１（測定眼ではない方の検査窓）には補助レンズディスク１６の遮蔽板１６ｂが配置される。検者は視標スイッチ群３４の中のスイッチを押して、検査に必要な視標を視力呈示装置２に呈示させる。検査窓１１に配置される球面及び乱視の矯正光学系は、スイッチ群３８、ダイヤルスイッチ４３及びスイッチ４４ａ，４４ｂにより切換えることができる。
【００１５】
過矯正のチェックを行うためのＲ／Ｇ検査を実施する場合、視標スイッチ群３４のＲ／Ｇ検査用スイッチ３４ａを押す。マイクロコンピュータ部３０は、図６に示すようなＲ／Ｇ検査視標１００を呈示するように視力呈示装置２に指令信号を送る。また、Ｒ／Ｇ検査用スイッチ３４ａが押されると、マイクロコンピュータ部３０は、測定眼側にグリーンフィルタ１６ａをかけるＲ／Ｇ検査プログラムを実行する。このプログラムはメモリ７に記憶されている。
【００１６】
マイクロコンピュータ部１７は、受け取った指令信号により、補助レンズディスク１６を回転させて測定眼側の検査窓１１にグリーンフィルタ１６ａを配置する。このような状態において、被検者が検査窓１１を通して前方に呈示されているＲ／Ｇ検査視標１００を見た場合、測定眼側の検査窓１１にグリーンフィルタ１６ａが配置されることにより、グリーン視標１００Ｇのみが見えている状態となる（レッド視標１００Ｒは見えない状態となる）。グリーン視標１００Ｇのみが見えている状態において、検者は被検者にグリーン視標１００Ｇを注視させる。
【００１７】
次にマイクロコンピュータ部１７は、グリーンフィルタ１６ａを検査窓１１に配置してから所定時間後（例えば、４秒後）に補助レンズディスク１６を回転させ、補助レンズディスク１６の開口部１６ｃを検査窓１１に配置する。検査窓１１に開口部１６ｃが配置されることにより、被検者は視標呈示装置２により前方に呈示されているレッド視標１００Ｒとグリーン視標１００Ｇの両方を一度に見ることができる。
【００１８】
また、マイクロコンピュータ部１７は開口部１６ｃが検査窓１１に開口部１６ｃが配置されてから所定時間後（例えば、１秒後）に補助レンズディスク１６を回転させ、検査窓１１に再びグリーンフィルタ１６ａを配置し、グリーン視標１００Ｇのみが見えるようにする。このような制御を繰り返し行いながらＲ／Ｇ検査を行い、被検者はどちらの視標（赤色背景の中の黒視標と緑色背景の中の黒視標）が見えやすいかを判断する。
【００１９】
このように、本実施の形態におけるＲ／Ｇ検査では、所定時間の間グリーン視標１００Ｇのみを見させ、その後、レッド視標１００Ｒとグリーン視標１００Ｇとを同時に見させておき、さらに所定時間後再びグリーン視標１００Ｇのみを見させるようにしている。
【００２０】
一般に人の眼は生理的に外界の有限距離の物体にピントを合わせようとするが、このピント合わせに要する時間は瞬時（０．５〜１秒程度）である。このため、レッド視標１００Ｒとグリーン視標１００Ｇとを常時同時に見せながら行う従来のＲ／Ｇ検査では、各々の検査視標を見る際に測定眼の調節力が入りやすく正確な検査を行いにくい。しかしながら、本実施の形態ではレッド視標１００Ｒを短時間（１秒）しか見させないため、測定眼のピントをレッド視標１００Ｒ側に合わせようとする間にレッド視標１００Ｒが消えてしまうこととなる。このようなレッド視標１００Ｒの表示、消去制御を繰り返し行うことにより、被検眼（測定眼）の調節の介入を可及的に抑制することができるため、Ｒ／Ｇ検査を精度良く行うことができる。また、このようなＲ／Ｇ検査は現在、一般的に汎用されている視力呈示装置には適用することが困難であったが、本実施形態で示すような検眼装置を用いることにより、汎用されている視力検査装置を用いてこのようなＲ／Ｇ検査を行うことができる。
【００２１】
また、本実施の形態では、グリーン視標１００Ｇのみの呈示時間を４秒、レッド及びグリーンの両視標の同時呈示を１秒としているが、これに限るものではなく、被検者にグリーン視標１００Ｇのみを注視させるのに十分と思われる時間と、両視標を同時に呈示させたときにレッド視標１００Ｒ側にピントが合う前にレッド視標１００Ｒを見えなくする時間とが得られるようであれば良い。
【００２２】
さらに、Ｒ／Ｇ検査中は上記に示した検査方法に重ねて、検査窓１１にセットされている度数のレンズに対してプラス側の度数（例えばセットレンズ度数＋０．５Ｄ）となるように（フォグをかけるように）各レンズを組替えて検査窓１１に配置し、Ｒ／Ｇ検査を行うこともできる。このように故意に呈示視標がぼやけるようにした状態で検査を行うことにより、測定眼の調節力が働きにくくなるため、Ｒ／Ｇ検査をさらに精度良く行うことができる。
【００２３】
また、測定眼が乱視を持つような眼である場合、乱視軸検査、乱視度数検査を行う前に、最小錯乱円を被検眼の網膜に位置させるためにＲ／Ｇ検査を行う必要がある。このようなＲ／Ｇ検査においても本発明を適用することができる。
【００２４】
また、本実施の形態では、測定眼に対しグリーン視標１００Ｇを連続で呈示させながらレッド視標１００Ｒを断続的に呈示させ、これを数回行うことによって、眼の調節力を可及的に抑制するものとしているが、これに限るものではない。
グリーン視標１００Ｇを断続的に呈示させながら、所定時間後にレッド視標１００Ｒとグリーン視標１００Ｇとを同時に呈示させるようにしてもよい。このような制御を用いてＲ／Ｇ検査を行う方法を第２の実施形態として、以下に説明する。なお、第２の実施形態においても図１〜図３に示した検眼装置を用いるものとし、ここではＲ／Ｇ検査における動作のみを説明する。
【００２５】
視標スイッチ群３４のＲ／Ｇ検査用スイッチ３４ａを押すと、マイクロコンピュータ部３０は、Ｒ／Ｇ検査視標を呈示するように視力呈示装置２に指令信号を送るとともに、検眼装置本体１にＲ／Ｇ検査用の駆動制御を行うための指令信号を送る。
【００２６】
マイクロコンピュータ部１７は、受け取った指令信号により、補助レンズディスク１６を回転させて測定眼側の検査窓１１にグリーンフィルタ１６ａと遮蔽板１６ｂとを交互に配置する。図２に示すようにグリーンフィルタ１６ａと遮蔽板１６ｂとは、隣接した状態で補助レンズディスク１６に形成されているため、検査窓１１に交互に配置する際に他の光学素子等が検査窓１１を通過することがない。この交互配置を連続して行うことにより、測定眼からは前方に呈示しているグリーン視標１００Ｇが点滅しながら呈示されているように見えることとなる。
【００２７】
このようにグリーン視標１００Ｇが点滅呈示しているかのように見せることで、グリーン視標１００Ｇをより目立たせ、注視を行い易くすることができる。所定時間グリーン視標１００Ｇを点滅呈示しているように見せた後、次にマイクロコンピュータ部１７は開口部１６ｃを検査窓１１に所定時間配置し、レッド視標１００Ｒとグリーン視標１００Ｇとが同時に見えるようにする。その後再び前述の動作を繰り返し、被検者にどちらの視標が見えやすいかを判断させる。
【００２８】
このようなマイクロコンピュータ部１７による補助レンズディスク１６の回転動作制御の詳細なタイムチャートを図４に示す。図示中、▲１▼は検査窓１１にグリーンフィルタ１６ａが配置されている状態、▲２▼は検査窓１１に遮蔽板１６ｂが配置されている場合、▲３▼は検査窓１１に開口部１６ｃが配置されている場合をそれぞれ示す。
【００２９】
図示するように、Ｒ／Ｇ検査開始時にはグリーンフィルタ１６ａが検査窓１１に１秒間配置され、被検者からはグリーン視標１００Ｇのみが見えている状態となる。その後、検査窓１１に遮蔽板１６ｂが０．５秒間配置され、被検者には呈示視標は見えない状態となる。遮蔽板１６ｂが０．５秒間配置された後、再びグリーンフィルタ１６ａが１秒間、その後遮蔽板１６ｂが０．５秒間、検査窓１１に配置される。
【００３０】
グリーンフィルタ１６ａと遮蔽板１６ｂとが交互に配置される状態が３回行われた後、検査窓１１には開口部１６ｃが１秒間配置され、被検者からはレッド視標１００Ｒとグリーン視標１００Ｇとが同時に見えている状態となる。マイクロコンピュータ部１７は、これを１サイクルとして次の検査のステップに進むための指令信号が与えられるまで、このサイクルを繰り返し行うように補助レンズディスク１６を回転制御する。第２の実施形態におけるＲ／Ｇ検査ではグリーン視標１００Ｇへの注視を促すことができるとともに、測定眼の調節力を可及的に抑制することができる。
【００３１】
上述した第２の実施形態では、グリーン視標１００Ｇの点滅呈示の間隔を呈示時間１、消去時間０．５秒としているが、これに限るものではなく、グリーン視標１００Ｇを目立たせ、注視できるような点滅のタイミングであればよい。また、グリーン視標１００Ｇの点滅時間を４．５秒、その後のレッド及びグリーンの両視標を同時に見せる時間を１秒としているが、これに限るものではない。被検者にグリーン視標１００Ｇのみを注視させるのに十分と思われる時間と、両視標を同時に呈示させたときにレッド視標１００Ｒ側にピントが合う前にレッド視標１００Ｒを見えなくする時間とが得られるような時間であれば良い。
【００３２】
以上の実施の形態では、レンズディスク１２〜１６を電動で駆動して、矯正レンズ等の光学素子を組替えるタイプの検眼装置を用いて説明したが、これに限るものではない。手動で光学素子を組替えるタイプの検眼装置であっても本発明を適用することができる。
【００３３】
また、本発明で適用するＲ／Ｇ検査方法と従来のＲ／Ｇ検査方法とを選択して実行させることもできる。コントローラ３に配置されたメニュースイッチを押して、ディスプレイ３１にパラメータ設定画面を表示させた後、パラメータ設定項目の中からＲ／Ｇ検査の項目を呼び出すと、図５のような、設定画面がディスプレイ３１に表示される。図中、黒丸印１１０が選択された検査方法を示す。黒丸印１１０はダイヤルスイッチ４３で移動する。グリーンフィルタ１６ａを検査窓１１に配置しない従来のＲ／Ｇ検査方法にする場合は、「一般」を選択する。上記で始めに説明したグリーンフィルタ１６ａから開口に切換える検査方法にする場合は、「テスト１」を選択する。グリーンフィルタ１６ａ、遮蔽板１６ｂ及び開口１６ｃを使用した第２の実施形態の検査方法にする場合は、「テスト２」を選択する。これにより、Ｒ／Ｇ検査時に実行されるレンズディスク１６の回転駆動の制御プログラムが変更されるので、従来のＲ／Ｇ検査も行うことができる。
【００３４】
【発明の効果】
以上のように本発明によれば、専用のＲ／Ｇ検査視標の呈示装置を準備することなく、現在市販されている汎用のＲ／Ｇ検査視標を使用して、グリーン視標とレッド視標とを同時に呈示する前に、グリーン視標のみを呈示する方式のＲ／Ｇ検査を行うことができる。
【図面の簡単な説明】
【図１】本実施の形態で用いる検眼装置の外観略図である。
【図２】制御系を含む要部構成を示した図である。
【図３】コントローラの構成を示す図である。
【図４】補助レンズディスクの回転動作制御におけるタイムチャートを示した図である。
【図５】Ｒ／Ｇ検査を選択する設定画面を示した図である。
【図６】Ｒ／Ｇ検査視標を示した図である。
【符号の説明】
１　検眼装置本体
３　コントローラ
１０　レンズディスクユニット
１６　補助レンズディスク
１６ａ　グリーンフィルタ
１６ｂ　遮蔽板
１６ｃ　開口部
３０　マイクロコンピュータ部
【図１】
2004057741.tif 000003
【図２】
2004057741.tif 000004
【図３】
2004057741.tif 000005
【図４】
2004057741.tif 000006
【図５】
2004057741.tif 000007
【図６】
2004057741.tif 000008